【手続補正書】
【提出日】平成27年10月20日(2015.10.20)
【手続補正１】
【補正対象書類名】特許請求の範囲
【補正対象項目名】全文
【補正方法】変更
【補正の内容】
【特許請求の範囲】
【請求項１】
上流キャビティ、
該上流キャビティの下流に配置されるチャネル、
該チャネルを第１のチャネル及び第２のチャネルに分ける混合キャビティであり、前記第１のチャネルは前記上流キャビティからの流れを受けるように配置され、当該混合キャビティは、当該混合キャビティの側壁を通る複数の円錐形の穴を有して、当該混合キャビティ内への空気の流れを可能にする、混合キャビティ、並びに、
前記第２のチャネルの下流にある管接続部分であり、穴を有して、前記第２のチャネルからの流れを受け、且つ、前記第２のチャネルからの前記流れを当該管接続部分の出口へと方向づける、管接続部分、
を有するトーチ本体と、
前記上流キャビティ内に挿入される先端のオリフィス構造体であり、その中心を通る穴を有し、前記穴が、第１の直径を有し、さらに、前記第１のチャネルを介して燃料を前記混合キャビティへと方向づける、先端のオリフィス構造体と、
前記管接続部分に連結される管であり、前記管接続部分からの前記流れを受け、さらに、内径を有し、前記管接続部分からの前記流れを当該管の出口にある炎まで送る、管と、
を含むトーチであって、
前記第２のチャネルの直径が、前記第１のチャネルの直径よりも大きく、
前記管の前記内径に対する前記第１の直径の比が５から７％の範囲にあり、
前記燃料がアセチレンであり、さらに、
前記管接続部分内の前記穴が、該管接続部分内の穴の下流部分において広がりキャビティを有する、トーチ。
【請求項２】
前記比が５．４から６．６％の範囲にある、請求項１に記載のトーチ。
【請求項３】
前記広がりキャビティが、３から３０度の範囲にある角度を有する傾斜面を含む、請求項１に記載のトーチ。
【請求項４】
前記炎の近くの前記管内に置かれる渦流式のインサートをさらに含む、請求項１に記載のトーチ。
【請求項５】
前記第１のチャネルの前記直径は、前記第１の直径に等しい、請求項１に記載のトーチ。
【請求項６】
前記第１のチャネルの前記直径は、前記第１の直径よりも大きい、請求項１に記載のトーチ。
【請求項７】
前記第１の直径が、０．０１から０．０４インチ（０．０２５４から０．１０１６ｃｍ）の範囲にあり、さらに、前記管の前記内径が、０．２から０．７インチ（０．５０８から１．７７８ｃｍ）の範囲にある、請求項１に記載のトーチ。
【請求項８】
前記複数の円錐形の穴の数が３から５の範囲にある、請求項１に記載のトーチ。
【請求項９】
１４ＰＳＩのアセチレン燃料圧力にて２から３０ＳＣＦＨの流速を提供することができる、請求項１に記載のトーチ。
【請求項１０】
上流キャビティ、
該上流キャビティの下流に配置されるチャネル、
該チャネルを第１のチャネル及び第２のチャネルに分ける混合キャビティであり、前記第１のチャネルは前記上流キャビティからの流れを受けるように配置され、当該混合キャビティは、当該混合キャビティの側壁を通る複数の円錐形の穴を有して、当該混合キャビティ内への空気の流れを可能にする、混合キャビティ、並びに、
前記第２のチャネルの下流にある管接続部分であり、穴を有して、前記第２のチャネルからの流れを受け、且つ、前記第２のチャネルからの前記流れを当該管接続部分の出口へと方向づける、管接続部分、
を有するトーチ本体と、
前記上流キャビティ内に挿入される先端のオリフィス構造体であり、その中心を通る穴を有し、前記穴が、第１の直径を有し、さらに、前記第１のチャネルを介して燃料を前記混合キャビティへと方向づける、先端のオリフィス構造体と、
前記管接続部分に連結される管であり、前記管接続部分からの前記流れを受け、さらに、内径を有し、前記管接続部分からの前記流れを当該管の出口にある炎まで送る、管と、
を含むトーチであって、
前記第２のチャネルの直径が、前記第１のチャネルの直径よりも大きく、
前記管の前記内径に対する前記第１の直径の比が２から３％の範囲にあり、
前記燃料がプロパン又はプロピレンであり、さらに、
前記管接続部分内の前記穴が、該管接続部分内の穴の下流部分において広がりキャビティを有する、トーチ。
【請求項１１】
前記比が２．５から３％の範囲にある、請求項１０に記載のトーチ。
【請求項１２】
前記広がりキャビティが、３から３０度の範囲にある角度を有する傾斜面を含む、請求項１０に記載のトーチ。
【請求項１３】
前記炎の近くの前記管内に置かれる渦流式のインサートをさらに含む、請求項１０に記載のトーチ。
【請求項１４】
前記第１のチャネルの前記直径は、前記第１の直径に等しい、請求項１０に記載のトーチ。
【請求項１５】
前記第１のチャネルの前記直径は、前記第１の直径よりも大きい、請求項１０に記載のトーチ。
【請求項１６】
前記第１の直径が、０．００７から０．０２インチ（０．０１７７８から０．０５０８ｃｍ）の範囲にあり、さらに、前記管の前記内径が、０．２から０．７インチ（０．５０８から１．７７８ｃｍ）の範囲にある、請求項１０に記載のトーチ。
【請求項１７】
前記複数の円錐形の穴の数が、３から５の範囲にある、請求項１０に記載のトーチ。
【請求項１８】
２８ＰＳＩの燃料圧力にて２から１２ＳＣＦＨの流速を提供することができる、請求項１０に記載のトーチ。
【請求項１９】
上流キャビティ、
該上流キャビティの下流に配置されるチャネル、
該チャネルを第１のチャネル及び第２のチャネルに分ける混合キャビティであり、前記第１のチャネルは前記上流キャビティからの流れを受けるように配置され、当該混合キャビティは、当該混合キャビティの側壁を通る複数の円錐形の穴を有して、当該混合キャビティ内への空気の流れを可能にする、混合キャビティ、並びに、
前記第２のチャネルの下流にある管接続部分であり、穴を有して、前記第２のチャネルからの流れを受け、且つ、前記第２のチャネルからの前記流れを当該管接続部分の出口へと方向づける、管接続部分、
を有するトーチ本体と、
前記上流キャビティ内に挿入される先端のオリフィス構造体であり、その中心を通る穴を有し、前記穴が、第１の直径を有し、さらに、前記第１のチャネルを介して燃料を前記混合キャビティへと方向づける、先端のオリフィス構造体と、
前記管接続部分に連結される管であり、前記管接続部分からの前記流れを受け、さらに、内径を有し、前記管接続部分からの前記流れを当該管の出口にある炎まで送る、管と、
を含むトーチであって、
前記第２のチャネルの直径が、前記第１のチャネルの直径よりも大きく、
前記管の前記内径に対する前記第１の直径の比が５から７％の範囲にあり、
前記燃料がアセチレンであり、さらに、
前記第１のチャネルの前記直径は、前記第１の直径に等しい、トーチ。
【請求項２０】
上流キャビティ、
該上流キャビティの下流に配置されるチャネル、
該チャネルを第１のチャネル及び第２のチャネルに分ける混合キャビティであり、前記第１のチャネルは前記上流キャビティからの流れを受けるように配置され、当該混合キャビティは、当該混合キャビティの側壁を通る複数の円錐形の穴を有して、当該混合キャビティ内への空気の流れを可能にする、混合キャビティ、並びに、
前記第２のチャネルの下流にある管接続部分であり、穴を有して、前記第２のチャネルからの流れを受け、且つ、前記第２のチャネルからの前記流れを当該管接続部分の出口へと方向づける、管接続部分、
を有するトーチ本体と、
前記上流キャビティ内に挿入される先端のオリフィス構造体であり、その中心を通る穴を有し、前記穴が、第１の直径を有し、さらに、前記第１のチャネルを介して燃料を前記混合キャビティへと方向づける、先端のオリフィス構造体と、
前記管接続部分に連結される管であり、前記管接続部分からの前記流れを受け、さらに、内径を有し、前記管接続部分からの前記流れを当該管の出口にある炎まで送る、管と、
を含むトーチであって、
前記第２のチャネルの直径が、前記第１のチャネルの直径よりも大きく、
前記管の前記内径に対する前記第１の直径の比が２から１％の範囲にあり、
前記燃料がプロパン又はプロピレンであり、さらに、
前記第１のチャネルの前記直径は、前記第１の直径に等しい、トーチ。